(57)【要約】      （修正有）【課題】鼻水等が付着した場合の対策を備えるマスク、これを簡単かつ衛生的に収納できるマスクケース及びマスクセットを提供する。【解決手段】マスクは、口鼻部との間に呼吸用の空間を形成するよう布材を立体縫製して形成された本体部２０と、本体部の口鼻部の側に本体部と別体である液体吸収シート材の一部分５０ａを交換可能に挿入することで、液体吸収シート材の他の部分５０ｂを本体部と口鼻部との間に保持するポケット部３３を形成するポケット布部とを備える。マスクケースは、マスクを幅方向の中央を折り畳んだ状態で収納し、方形の裏側布部及び裏側布部の縁部で縫い合わされた表側布部を備え、裏側布部と表側布部との間にマスク収納部を形成し、表側布部を上側布部と下側布部とで構成して上側布部の下端を下側布部の上端より下方かつ内側に配置し下側布部と裏側布部との間にマスクを差し込む開口を備える。【選択図】図３
0003228741.tif 000002
【実用新案登録請求の範囲】
【請求項１】
口鼻部を覆う本体部及び前記本体部の両端に配置された左右の耳掛け部を備えたマスクであって、
前記本体部は、前記口鼻部との間に呼吸用の空間を形成するよう布材を立体縫製して形成され、
前記本体部の前記口鼻部の側には、前記本体部と別体である液体吸収シート材の一部分を交換可能に挿入することで、前記液体吸収シート材の他の部分を前記本体部と前記口鼻部との間に保持することを可能とするポケット部を形成するポケット布部を配置したことを特徴とするマスク。
【請求項２】
前記ポケット布部の上縁部は、前記ポケット布部で保持した前記液体吸収シート材が外部から視認できないよう前記本体部の上縁部より下側に配置されていることを特徴とする請求項１に記載のマスク。
【請求項３】
前記ポケット布部は、前記液体吸収シート材を保持した状態において、着用時に前記本体部と前記口鼻部との間に空間部が形成されるよう立体形成されていることを特徴とする請求項１に記載のマスク。
【請求項４】
マスクを幅方向の中央を折り線として折り畳んだ状態で収納する方形で薄型の布製のマスクケースであって、
方形のケース裏側布部及び前記ケース裏側布部の縁部で縫い合わされたケース表側布部を備え、前記ケース裏側布部と前記ケース表側布部との間に前記マスクを収納するマスク収納部を形成し、
前記ケース表側布部を上側布部と下側布部とで構成して、前記上側布部の下端を前記下側布部の上端より下方に配置し、
前記下側布部と前記ケース裏側布部との間に前記マスクを前記マスク収納部に差し込み可能な開口を形成したことを特徴とするマスクケース。
【請求項５】
前記上側布部の下端が前記下側布部の内方に配置したことを特徴とする請求項４に記載のマスクケース。
【請求項６】
請求項１から請求項３までのいずれか一項に記載のマスクと、請求項４又は請求項５に記載のマスクケースとからなるマスクセット。
【考案の詳細な説明】
【技術分野】
【０００１】
本考案は、マスク、マスクを収納するマスクケース、及び前記マスクと前記マスクケースのマスクセットに関する。
【背景技術】
【０００２】
昨今、新型コロナウィルス感染症の影響で学校生活でも常時マスクを装着するようになり、また、一次的にマスクを外す機会も多くなっている。このような状況下において、子供等がマスクを着用したとき、鼻水等でマスクの内部が汚れてしまうことがある。また、マスクを一時的に取り外した場合、そのマスクを放置したり、そのままポケット等に仕舞ってしまったりすることもある。
【０００３】
従来、マスクに関してはさまざまな工夫がなされている。文献１には、上端近傍に撓み変形可能な塑性を有する線状、乃至細帯状の形状保持部材のノーズフィットを埋設したマスク本体が、その下端から略半分を覆うポケットが設けられ、マスク本体の両側縁には、一対の耳掛け紐を備え、ポケットには、風邪予防用、花粉症予防用、防塵用、及びアロマセラピー効果の各種香料等のフィルターやシート類が、マスク本体の上端縁近くまで覆うようポケットへ収納配置されることを特徴とするポケット付き万能マスクが記載されている。
【０００４】
また、文献２には、不織布などで構成されたマスクで裏面上下中央部に左右連通ポケットを設える構造が記載されている。
【０００５】
更に、文献３には、不織布などで構成されたマスクで総体が船底状を成し、掛けゴム紐により両耳又は首の背に掛けたとき顔面に馴染み周囲の何処にも浮き隙間ができず、裏面上下中央部に左右連通ポケットを設える構造が記載されている。
【先行技術文献】
【特許文献】
【０００６】
【特許文献１】実用新案登録第３２１９０８６号公報
【特許文献２】実用新案登録第３１９９３２５号公報
【特許文献３】実用新案登録第３１９８５３３号公報
【考案の概要】
【考案が解決しようとする課題】
【０００７】
しかし、文献１、文献２、及び文献３に記載のマスクは、いずれもマスク本体にポケットを設ける構造を備えるものであるが、ポケットの内部に防塵、芳香のためシート類を配置するものである。このため、マスク装着時における鼻水等での汚れは解決されていない。また、マスクを外したとき、マスクを簡単かつ衛生的に収納するための対策については言及がない。このため、従来のマスクは、衛生状態を充分に保てないという懸念がある。
【０００８】
本考案は、上述した課題に鑑みてなされたものであり、特に、子供の鼻水等が付着した場合の対策を備えるマスク、装着後のマスクを簡単かつ衛生的に収納できるマスクケース、及びこのようなマスクセットを提供することを目的とする。
【課題を解決するための手段】
【０００９】
前記課題を解決する請求項１に記載の考案は、口鼻部を覆う本体部及び前記本体部の両端に配置された左右の耳掛け部を備えたマスクであって、前記本体部は、前記口鼻部との間に呼吸用の空間を形成するよう布材を立体縫製して形成され、前記本体部の前記口鼻部の側には、前記本体部と別体である液体吸収シート材の一部分を交換可能に挿入することで、前記液体吸収シート材の他の部分を前記本体部と前記口鼻部との間に保持することを可能とするポケット部を形成するポケット布部を配置したことを特徴とするマスクである。
【００１０】
同じく請求項２に記載の考案は、請求項１に記載のマスクにおいて、前記ポケット布部の上縁部は、前記ポケット布部で保持した前記液体吸収シート材が外部から視認できないよう前記本体部の上縁部より下側に配置されていることを特徴とする。
【００１１】
同じく請求項３に記載の考案は、請求項１に記載のマスクにおいて、前記ポケット布部は、前記液体吸収シート材を保持した状態において、着用時に前記本体部と前記口鼻部との間に空間部が形成されるよう立体形成されていることを特徴とする。
【００１２】
同じく請求項４に記載の考案は、マスクを幅方向の中央を折り線として折り畳んだ状態で収納する方形で薄型の布製のマスクケースであって、方形のケース裏側布部及び前記ケース裏側布部の縁部で縫い合わされたケース表側布部を備え、前記ケース裏側布部と前記ケース表側布部との間に前記マスクを収納するマスク収納部を形成し、前記ケース表側布部を上側布部と下側布部とで構成して、前記上側布部の下端を前記下側布部の上端より下方に配置し、前記下側布部と前記ケース裏側布部との間に前記マスクを前記マスク収納部に差し込み可能な開口を形成したことを特徴とするマスクケースである。
【００１３】
同じく請求項５に記載の考案は、請求項４に記載のマスクケースにおいて、前記上側布部は下端が前記下側布部の内方に配置したことを特徴とする。
【００１４】
同じく請求項６に記載の考案は、請求項１から請求項３までのいずれか一項に記載のマスクと、請求項４又は請求項５に記載のマスクケースとからなるマスクセットである。
【考案の効果】
【００１５】
請求項１に記載のマスクによれば、口鼻部を覆う本体部の口鼻部の側には、ポケット布部が配置されており、本体部と別体である液体吸収シート材の一部分を交換可能に挿入することができ、液体吸収シート材の他の部分を本体部と口鼻部との間に保持することができる。
このため、使用者からの鼻水等は液体吸収シート材で吸収され、この液体吸収シート材は簡単に交換することができる。その結果、本考案によれば、必要に応じて液体吸収シート材を交換することでマスクを清潔に保てる。また、本考案によれば、マスクは、布製なので洗濯してくり返し使用できる。
【００１６】
また、請求項１に記載のマスクによれば、本体部は、口鼻部との間に呼吸用の空間を形成するよう布材を立体縫製して形成されているので、口鼻部と本体部との間に液体吸収シート材が配置された場合であっても、使用者が息苦しく感じることはない。
【００１７】
また、請求項２に記載のマスクによれば、ポケット布部の上縁部は、ポケット布部で保持した液体吸収シート材が外部から視認できないよう本体部の上縁部より下側に配置されている。このため、液体吸収シート材を装着した場合であっても、外部から液体吸収シート材が見えず、マスク装着時において外観上の違和感がない。
【００１８】
また、請求項３に記載のマスクによれば、ポケット布部は、液体吸収シート材を保持した状態において、着用時に前記本体部と前記口鼻部との間に空間部が形成されるよう立体形成されている。このため、本考案によれば、口鼻部と本体部との間に液体吸収シート材が配置されても息苦しくない。
【００１９】
また、請求項４に記載のマスクケースによれば、マスクケースは、方形で薄型であり、マスクを幅方向の中央を折り線として折り畳んだ状態で収納する。また、マスクケースは、方形のケース裏側布部及びこのケース裏側布部の縁部に縫い合わされたケース表側布部を備えて、ケース裏側布部とケース表側布部との間にマスクを収納するマスク収納部を備える。更に、ケース表側布部を上側布部と下側布部とで構成して、上側布部の下端を下側布部の上端より下側に配置し、下側布部と裏側布部との間に前記マスクをマスク収納部に差し込み可能な開口を形成している。
【００２０】
このため、使用後のマスクを下側布部と裏側布部との間の開口から差し込むだけでマスクをマスク収納部に収納できる。よって、使用後のマスクを、蓋をめくり上げたり、ホックやファスナー等の開閉をする煩わしい操作をすることなく、簡単にマスクケースに収納できる。また、本考案によれば、マスクケースは、布製なので洗濯して繰り返し使え、ズボンのポケットにもケースに入れた状態でしまえるので衛生的である。
【００２１】
更に、請求項５に記載のマスクケースによれば、請求項４記載のマスクケースにおいて、上側布部は下端が下側布部より内方に配置するものである。このため、マスクを長時間にわたり保管するときや持ち運ぶときには、マスクをマスク収納部に収納した状態で上側布部をマスクに被せて、マスク収納部の内部に収納したマスクを完全に覆い隠すことができる。このため、請求項５記載の考案によれば、マスクを衛生的であって、脱落の恐れがないように収納できる。
【００２２】
そして、請求項６に記載のマスクセットによれば、需用者は上述した効果を備えるマスクと上述した効果を備えるマスクケースとを一度に入手することができ、マスクを衛生的に使用し、更に衛生的に保管、携帯できる。
【図面の簡単な説明】
【００２３】
【図１】本考案の実施形態に係るマスクを示すものであり、（ａ）は正面図、（ｂ）は背面図である。
【図２】本考案の実施形態に係るマスクを示すものであり、（ａ）は図１中のＡ−Ａ線に相当する断面図、（ｂ）は図１中のＢ−Ｂ線に相当する断面図、（ｃ）はポケット部を開いた状態を示す写真である。
【図３】本考案の実施形態に係るマスクに着用時に液体吸収シート材としてティッシュペーパーを配置した状態を示すものであり、（ａ）は背面図、（ｂ）は着用状態を示す模式図である。
【図４】本考案の実施形態に係るマスクケースを示すものであり、（ａ）は正面図、（ｂ）は（ａ）中のＢ−Ｂ線に相当する断面図、（ｃ）は（ａ）中のＣ−Ｃ線に相当する断面図、（ｄ）は（ａ）中のＤ−Ｄ線に相当する断面図である。
【図５】本考案の実施形態に係るマスクを同マスクケースに収納する状態を示すものであり、（ａ）は収納前の状態を示す模式図、（ｂ）は収納途中の状態を示す模式図、（ｃ）は開口を開いた状態を示す写真である。
【図６】本考案の実施形態に係るマスクを同マスクケースに収納した状態を示すものであり、（ａ）は一時収納の状態を示す図４（ａ）のＢ−Ｂ線に相当する断面模式図、（ｂ）は完全収納の状態を示す図４（ａ）のＢ−Ｂ線に相当する断面模式図である。
【考案を実施するための形態】
【００２４】
本考案を実施するための形態に係るマスク及びマスクケースについて説明する。
【００２５】
＜マスク＞
まず、本考案の実施形態に係るマスクについて説明する。図１は本考案の実施形態に係るマスクを示すものであり、（ａ）は正面図、（ｂ）は背面図、図２は本考案の実施形態に係るマスクを示すものであり、（ａ）は図１中のＡ−Ａ線に相当する断面図、（ｂ）は図１中のＢ−Ｂ線に相当する断面図、（ｃ）はポケット部を開いた状態を示す写真、図３は本考案の実施形態に係るマスクに着用時に液体吸収シート材としてティッシュペーパーを配置した状態を示すものであり、（ａ）は背面図、（ｂ）は着用状態を示す模式図である。
【００２６】
本考案の実施形態に係るマスク１０は、図１（ａ）、（ｂ）及び図３に示すように、着用者Ｗの口鼻部Ｍ（図３（ｂ）参照）を覆う本体部２０と、本体部２０の両端に配置された左右の耳掛け部６０とを備える。本体部２０は、細かい目の木綿布を縫い合わせて形成される。また、耳掛け部６０は耳に負担を掛けないウーリーゴムを環状に連結して形成される。
【００２７】
本体部２０は、口鼻部Ｍとの間に呼吸用の空間部Ｓ（図３（ｂ）参照）を形成できるよう外側に凸となる立体形状をなすように布材を裁断し、縫い合わせて形成される。即ち、図１（ａ）、（ｂ）及び図２（ａ）、（ｂ）に示すように、本体部２０は、本体表布材２１と本体裏布材２２とを縫い合わせて、平面視及び側面視の双方において、本体部２０が外方へ膨出する略円弧形状となるような立体形状として構成されている。
【００２８】
本実施形態に係るマスク１０では、本体部２０を立体形状とするため、本体表布材２１は、左右の対称形の２枚の布材を本体部２０の中央位置の縫い目４４で縫い合わせて構成している。同様に、本体裏布材２２は、左右の対称形の２枚の布材を本体部２０の中央位置の縫い目４４で縫い合わせて構成している。
【００２９】
これにより、本体部２０は、図３（ｂ）に示すように、表側に向けて凸状に形成され、着用者Ｗの口鼻部Ｍとの間に空間部Ｓを形成できる。なお、図２（ａ）では、本体部２０は、その中央において、２分割した本体表布材２１及び２分割した本体裏布材２２をそれぞれ縫い合わせた状態を省略して描いている。
【００３０】
また、本実施形態に係るマスク１０では、本体部２０の内側（着用者Ｗの口鼻部Ｍの側）には、ポケット布部３０を配置してポケット部３３を形成している。ポケット布部３０は本体部２０との境界部にポケット部３３の開口３４を形成する。ポケット布部３０は、本体部２０と同様に細かい目の白い木綿布で形成される。その結果、ポケット布部３０にあっては、使用時における汚れが分かりやすい。
【００３１】
ポケット布部３０は、図２（ａ）、（ｂ）に示すように、ポケット表布材３１と、ポケット裏布材３２とを厚さ方向に重ねて形成される。ポケット布部３０は、本体部２０に沿った立体形状とされている。このため、ポケット表布材３１及びポケット裏布材３２は左右の対称形の２枚の布材をポケット布部３０の中央位置の縫い目４５で縫い合わせされて形成される。なお、図２（ａ）では、ポケット布部３０の中央において、２分割したポケット表布材３１及び２分割したポケット裏布材３２をそれぞれ縫い合わせた状態を省略して描いている。
【００３２】
本体部２０とポケット布部３０は、両端部の縫い目４３、４３と下端部の縫い目４２で縫い合わせされている。なお、耳掛け部６０、耳掛け部６０は、図２（ａ）に示すように、本体部２０の両端に、本体表布材２１を折り返して縫い目４３で縫い合わせて配置されている。なお、符号４１は、本体表布材２１の上側の折り返しを縫い付けている縫い目を示している。
【００３３】
図３（ａ）及び（ｂ）に示すように、ポケット部３３には、２つに折り畳んだ液体吸収シート材５０の一方側である一部分５０ａを開口３４から挿入される。これにより液体吸収シート材５０の他方側である他の部分５０ｂが本体部２０と口鼻部Ｍとの間に配置される。
【００３４】
図３（ａ）に示すように、本実施形態に係るマスク１０において、ポケット布部３０の幅方向寸法は、本体部２０の立体形状に沿った寸法とし、高さ方向寸法は本体部２０より小さく形成されている。即ち、ポケット布部３０はポケット上縁部３０ａが本体部２０の本体上縁部２０ａより下方に配置される。これにより、ポケット部３３に配置した液体吸収シート材５０が外部から視認されない。また、これにより、マスク１０を装着したとき外観上の違和感がない。
【００３５】
液体吸収シート材５０としては、ティッシュペーパーを使用することが好適である。なお、ティッシュペーパーの他、キッチンペーパー、ガーゼ等の布を使用することができる。
【００３６】
本実施形態に係るマスク１０において、本体部２０及びポケット布部３０は、図３（ｂ）に示すように、液体吸収シート材５０を保持した状態において、マスク１０と口鼻部Ｍとの間に空間部Ｓを形成する。
【００３７】
本実施形態に係るマスク１０によれば、図３（ｂ）に示すように、着用者Ｗがマスク１０を着用した状態において、口鼻部Ｍからの鼻水Ｄは液体吸収シート材５０に吸収される。そして、本マスク１０にあっては、液体吸収シート材５０を容易に交換できる。このため、マスク１０を清潔な状態に保つことができる。
【００３８】
また、本マスク１０にあっては、本体部２０及びポケット布部３０を木綿で形成したから洗濯を容易かつ頻繁に行うことができ、マスク１０を清潔な状態に保ちながら繰り返し使うことができる。なお、上記例では、本体部２０及びポケット布部３０を木綿で形成した場合を示したが、本体部２０及びポケット布部３０はポリエステル等他の布地であってもよい。
【００３９】
また、本実施形態では、本体部２０を本体表布材２１、本体裏布材２２、及びポケット布部３０をポケット表布材３１、ポケット裏布材３２で構成した例を示したが、本体部２０及びポケット布部３０はそれぞれ一枚の布材で形成することができる。
【００４０】
＜マスクケース＞
次に本考案の実施形態に係るマスクケースについて説明する。図４は本考案の実施形態に係るマスクケースを示すものであり、（ａ）は正面図、（ｂ）は（ａ）中のＢ−Ｂ線に相当する断面図、（ｃ）は（ａ）中のＣ−Ｃ線に相当する断面図、（ｄ）は（ａ）中のＤ−Ｄ線に相当する断面図である。
【００４１】
本考案の実施形態に係るマスクケース７０は、上記実施形態に係るマスク１０を収納する布製の薄型ケースである。本マスクケース７０は、薄手の木綿布で形成される。
【００４２】
本実施形態に係るマスクケース７０は、図４（ａ）〜（ｄ）に示すように、方形のケース裏側布部７１及びこのケース裏側布部７１の両側縁で縫い合わされたケース表側布部７２とからなる。ケース裏側布部７１とケース表側布部７２との間にマスクケース７０を収納するマスク収納部７４が形成される。
【００４３】
本実施形態では、ケース表側布部７２は上側布部７２Ｕと下側布部７２Ｄとで構成されている。上側布部７２Ｕの下端７２Ｕｄは、下側布部７２Ｄの上端７２Ｄｕより下方（例えば２０ｍｍ下方）に配置されている。そして、下側布部７２Ｄとケース裏側布部７１との間にマスク収納部７４をマスク収納部７４に差し込み可能な開口７３を形成している。
【００４４】
そして、本マスクケース７０は、上側布部７２Ｕは下端７２Ｕｄが下側布部７２Ｄの上端７２Ｄｕより内方に配置されている。
【００４５】
マスクケース７０を製造するには、図４に示すように、１枚の長方形の布地を３つに折り、それぞれの部分をケース裏側布部７１、上側布部７２Ｕ、下側布部７２Ｄとし、これらを縫い目８１、８２、８３で縫い合わせる。布地として木綿、ポリエステル等その他の素材のものを使用できる。
【００４６】
＜マスクのマスクケースヘの収納＞
次にマスク１０をマスクケース７０に収納する場合について説明する。図５は本考案の実施形態に係るマスクを同マスクケースに収納する状態を示すものであり、（ａ）は収納前の状態を示す模式図、（ｂ）は収納途中の状態を示す模式図、（ｃ）は開口を開いた状態を示す写真、図６は本考案の実施形態に係るマスクを同マスクケースに収納した状態を示すものであり、（ａ）は一時収納の状態を示す図４（ａ）のＢ−Ｂ線に相当する断面模式図、（ｂ）は完全収納の状態を示す図４（ａ）のＢ−Ｂ線に相当する断面模式図である。
【００４７】
マスク１０をマスクケース７０に収納するには、図５（ｃ）に示すように、開口７３を開いて、図５（ａ）、（ｂ）に示すように、二つ折りにしたマスク１０をマスクケース７０の開口７３に挿入する。
【００４８】
これにより、図６（ａ）に示すように、マスク１０はマスクケース７０のマスク収納部７４に収納された状態になる。この収納状態において、マスク１０は下側の大部分が下側布部７２Ｄとケース裏側布部７１の間に収納され、マスク１０の上部が露出する。上側布部７２Ｕは、マスク１０とケース裏側布部７１の間に配置された状態である。
【００４９】
この収納状態は、一時的にマスクケース７０に収納するのに適している。マスク１０を開口７３から差し込むだけであるので、マスク１０を簡単にマスクケース７０に出し入れできる。例えば、児童生徒が給食や体育の時間などで一時的にマスク１０を外してマスクケース７０に収納する場合に適している。
【００５０】
マスク１０を保管したり持ち運んだりするときには、図６（ａ）に示した状態から、図６（ｂ）に示すように、上側布部７２Ｕをマスク１０の裏側から引き出してマスク１０の上部を覆う。この状態において、マスク１０の上部は上側布部７２Ｕで覆われ、マスク１０は全体がマスクケース７０のマスク収納部７４に収納される。
【００５１】
本実施形態に係るマスクケース７０によれば、構造が簡単であり、必要な状態に応じて、マスク１０を簡単に一時収納できたり、マスク１０をマスクケース７０により覆い隠す状態で収納できたりする。いずれの場合も、ホックやファスナー等の締結具を使用する必要がない。また、マスクケース７０は布製であるので簡単に洗濯ができ、清潔な状態に保つことができ、マスク１０をマスクケース７０に収納した状態でズボンのポケットにも収納できる。
【００５２】
＜マスクセット＞
上述したマスク１０とマスクケース７０とはセットとして販売したり使用したりできる。マスク１０とマスクケース７０とをセットとすれば、販売者は、マスク１０とこのマスク１０を収納できるマスクケース７０を同時に販売できる。
【００５３】
また、使用者はマスク１０と共にマスクケース７０を携行することができ、マスク１０を使用しないとき、マスク１０を携行しているマスクケース７０に一時的に収納したり（図６（ａ）の状態）、マスク１０をマスクケース７０内に完全に収納して保管、携帯したり（図６（ｂ）の状態）できる。このため、使用者が清潔な状態でマスク１０を使用、保管、携帯できる。
【００５４】
本実施の形態に係るマスク１０及びマスクケース７０の具体的な構成に関しては、請求の範囲に記載された範囲内において適宜変更して構成することは可能である。
【産業上の利用可能性】
【００５５】
本考案に係るマスクは、鼻水等が付着した場合の対策を備えて衛生的であり、また本考案に係るマスクケースは、装着後のマスクを簡単かつ衛生的に収納できるため、産業上の利用可能性がある。
【符号の説明】
【００５６】
１０：マスク
２０：本体部
２０ａ：本体上縁部
２１：本体表布材
２２：本体裏布材
３０：ポケット布部
３０ａ：ポケット上縁部
３１：ポケット表布材
３２：ポケット裏布材
３３：ポケット部
３４：開口
４１、４２、４３、４４、４５：縫い目
５０：液体吸収シート材（ティッシュペーパー）
５０ａ：液体吸収シート材の一部分
５０ｂ：液体吸収シート材の他の部分
６０：耳掛け部
７０：マスクケース
７１：ケース裏側布部
７２：ケース表側布部
７２Ｄ：下側布部
７２Ｄｕ：上端
７２Ｕ：上側布部
７２Ｕｄ：下端
７３：開口
７４：マスク収納部
８１、８２、８３：縫い目
Ｄ：鼻水
Ｍ：口鼻部
Ｓ：空間部
Ｗ：着用者
【図１】
0003228741.tif 000003
【図２】
0003228741.tif 000004
【図３】
0003228741.tif 000005
【図４】
0003228741.tif 000006
【図５】
0003228741.tif 000007
【図６】
0003228741.tif 000008